【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
物体側から像側へ順に、正の屈折力の第１レンズ群、負の屈折力の第２レンズ群、正の屈折力の第３レンズ群、負の屈折力の第４レンズ群、正の屈折力の第５レンズ群より構成され、
広角端に比べて望遠端において、前記第１レンズ群と前記第２レンズ群との間隔が広がり、前記第２レンズ群と前記第３レンズ群との間隔が狭まり、前記第３レンズ群と前記第４レンズ群との間隔が広がり、前記第４レンズ群と前記第５レンズ群との間隔が広がるようにズーミングに際して各レンズ群が移動するズームレンズであって、
広角端に比べて望遠端において前記第１レンズ群は物体側に位置し、
前記第１レンズ群は、１枚の正レンズと１枚の負レンズから構成され、前記第２レンズ群は、１枚の正レンズと１枚の負レンズから構成され、
広角端における前記第３レンズ群と前記第４レンズ群との光軸上の間隔をＤ３４ｗ、望遠端における前記第３レンズ群と前記第４レンズ群との光軸上の間隔をＤ３４ｔ、広角端における全系の焦点距離をｆｗとするとき、
０．２＜（Ｄ３４ｔ−Ｄ３４ｗ）／ｆｗ＜１．２
なる条件式を満足することを特徴とするズームレンズ。
【請求項２】
広角端から望遠端までのズーミングにおける前記第１レンズ群の移動距離をＭ１とするとき、
−５．０＜Ｍ１／ｆｗ＜−２．０
なる条件式を満足することを特徴とする請求項１に記載のズームレンズ。
【請求項３】
前記第４レンズ群の焦点距離をｆ４とするとき、
３．０＜｜ｆ４｜／ｆｗ＜６．０
なる条件式を満足することを特徴とする請求項１又は２に記載のズームレンズ。
【請求項４】
前記第１レンズ群に含まれる正レンズの焦点距離をｆ１ｐ、前記第１レンズ群の焦点距離をｆ１とするとき、
０．３＜ｆ１ｐ／ｆ１＜０．９
なる条件式を満足することを特徴とする請求項１乃至３のいずれか１項に記載のズームレンズ。
【請求項５】
前記第２レンズ群に含まれる負レンズの焦点距離をｆ２ｎ、前記第２レンズ群の焦点距離をｆ２とするとき、
０．３＜ｆ２ｎ／ｆ２＜０．９
なる条件式を満足することを特徴とする請求項１乃至４のいずれか１項に記載のズームレンズ。
【請求項６】
前記第１レンズ群の焦点距離をｆ１とするとき、
４．０＜ｆ１／ｆｗ＜１０．０
なる条件式を満足することを特徴とする請求項１乃至５のいずれか１項に記載のズームレンズ。
【請求項７】
前記第２レンズ群の焦点距離をｆ２とするとき、
０．８＜｜ｆ２｜／ｆｗ＜２．０
なる条件式を満足することを特徴とする請求項１乃至６のいずれか１項に記載のズームレンズ。
【請求項８】
広角端における前記第３レンズ群、前記第４レンズ群、前記第５レンズ群の横倍率を各々β３ｗ、β４ｗ、β５ｗ、望遠端における前記第３レンズ群、前記第４レンズ群、前記第５レンズ群の横倍率を各々β３ｔ、β４ｔ、β５ｔ、望遠端における全系の焦点距離をｆｔとするとき、
０．２＜｛（β３ｔ×β４ｔ×β５ｔ）／（β３ｗ×β４ｗ×β５ｗ）｝／（ｆｔ／ｆｗ）＜０．５
なる条件式を満足することを特徴とする請求項１乃至７のいずれか１項に記載のズームレンズ。
【請求項９】
前記第１レンズ群に含まれる正レンズの材料のアッベ数をν１ｐ、前記第１レンズ群に含まれる負レンズの材料のアッベ数をν１ｎとするとき、
０．０３＜（１／ν１ｎ）−（１／ν１ｐ）＜０．０５
なる条件式を満足することを特徴とする請求項１乃至８のいずれか１項に記載のズームレンズ。
【請求項１０】
前記第２レンズ群に含まれる正レンズの材料のアッベ数をν２ｐ、前記第２レンズ群に含まれる負レンズの材料のアッベ数をν２ｎとするとき、
０．０２＜（１／ν２ｐ）−（１／ν２ｎ）＜０．０４
なる条件式を満足することを特徴とする請求項１乃至９のいずれか１項に記載のズームレンズ。
【請求項１１】
前記第３レンズ群の焦点距離をｆ３とするとき、
１．０＜ｆ３／ｆｗ＜３．０
なる条件式を満足することを特徴とする請求項１乃至１０のいずれか１項に記載のズームレンズ。
【請求項１２】
前記第５レンズ群の焦点距離をｆ５とするとき、
３．０＜ｆ５／ｆｗ＜６．０
なる条件式を満足することを特徴とする請求項１乃至１１のいずれか１項に記載のズームレンズ。
【請求項１３】
前記第１レンズ群の最も物体側のレンズ面の曲率半径をＲ１ａ、前記第１レンズ群の最も像側のレンズ面の曲率半径をＲ１ｂとするとき、
−１．５＜（Ｒ１ａ＋Ｒ１ｂ）／（Ｒ１ａ−Ｒ１ｂ）＜−０．５
なる条件式を満足することを特徴とする請求項１乃至１２のいずれか１項に記載のズームレンズ。
【請求項１４】
前記第２レンズ群は、物体側から像側へ順に、負レンズ、正レンズより構成され、前記第２レンズ群に含まれる負レンズと正レンズとの光軸上の間隔をＬ、前記第２レンズ群の焦点距離をｆ２とするとき、
０．２＜Ｌ／｜ｆ２｜＜０．５
なる条件式を満足することを特徴とする請求項１乃至１３のいずれか１項に記載のズームレンズ。
【請求項１５】
請求項１乃至１４のいずれか１項に記載のズームレンズと、該ズームレンズによって形成される像を受光する固体撮像素子を有することを特徴とする撮像装置。
【手続補正２】
【補正対象書類名】明細書
【補正対象項目名】００１０
【補正方法】変更
【補正の内容】
【００１０】
本発明のズームレンズは、物体側から像側へ順に、正の屈折力の第１レンズ群、負の屈折力の第２レンズ群、正の屈折力の第３レンズ群、負の屈折力の第４レンズ群、正の屈折力の第５レンズ群より構成され、
広角端に比べて望遠端において、前記第１レンズ群と前記第２レンズ群との間隔が広がり、前記第２レンズ群と前記第３レンズ群との間隔が狭まり、前記第３レンズ群と前記第４レンズ群との間隔が広がり、前記第４レンズ群と前記第５レンズ群との間隔が広がるようにズーミングに際して各レンズ群が移動するズームレンズであって、
広角端に比べて望遠端において前記第１レンズ群は物体側に位置し、
前記第１レンズ群は、１枚の正レンズと１枚の負レンズから構成され、前記第２レンズ群は、１枚の正レンズと１枚の負レンズから構成され、
広角端における前記第３レンズ群と前記第４レンズ群との光軸上の間隔をＤ３４ｗ、望遠端における前記第３レンズ群と前記第４レンズ群との光軸上の間隔をＤ３４ｔ、広角端における全系の焦点距離をｆｗとするとき、
０．２＜（Ｄ３４ｔ−Ｄ３４ｗ）／ｆｗ＜１．２
なる条件式を満足することを特徴としている。
【手続補正３】
【補正対象書類名】明細書
【補正対象項目名】００１４
【補正方法】変更
【補正の内容】
【００１４】
そして広角端に比べて望遠端において、第１レンズ群と第２レンズ群との間隔が広がり、第２レンズ群と第３レンズ群との間隔が狭まり、第３レンズ群と第４レンズ群との間隔が広がり、第４レンズ群と第５レンズ群との間隔が広がる。更に、広角端に比べて望遠端において第１レンズ群は物体側に位置するようにズーミングに際して各レンズ群が移動する。
【手続補正４】
【補正対象書類名】明細書
【補正対象項目名】００４４
【補正方法】変更
【補正の内容】
【００４４】
各実施例において、第１レンズ群Ｌ１は１枚の正レンズと１枚の負レンズより構成される。第２レンズ群Ｌ２は１枚の正レンズと１枚の負レンズで構成されている。そして、広角端における第３レンズ群Ｌ３と第４レンズ群Ｌ４との間隔をＤ３４ｗ、望遠端における第３レンズ群Ｌ３と第４レンズ群Ｌ４の間隔をＤ３４ｔ、広角端における全系の焦点距離をｆｗとする。このとき、
０．２＜（Ｄ３４ｔ−Ｄ３４ｗ）／ｆｗ＜１．２    ・・・（１）
なる条件式を満足している。条件式（１）は広角端から望遠端へのズーミングに際しての第３レンズ群Ｌ３と第４レンズ群Ｌ４との間隔の変化量を規定する。
【手続補正５】
【補正対象書類名】明細書
【補正対象項目名】００４８
【補正方法】変更
【補正の内容】
【００４８】
第１レンズ群Ｌ１の焦点距離をｆ１とする。第２レンズ群Ｌ２の焦点距離をｆ２とする。第３レンズ群Ｌ３の焦点距離をｆ３とする。第４レンズ群Ｌ４の焦点距離をｆ４とする。第５レンズ群Ｌ５の焦点距離をｆ５とする。第１レンズ群Ｌ１に含まれる正レンズの焦点距離をｆ１ｐとする。第２レンズ群Ｌ２に含まれる負レンズの焦点距離をｆ２ｎとする。
【手続補正６】
【補正対象書類名】明細書
【補正対象項目名】００５０
【補正方法】変更
【補正の内容】
【００５０】
第１レンズ群Ｌ１に含まれる正レンズの材料のアッベ数をν１ｐ、第１レンズ群Ｌ１に含まれる負レンズの材料のアッベ数をν１ｎとする。第２レンズ群Ｌ２に含まれる正レンズの材料のアッベ数をν２ｐ、第２レンズ群Ｌ２に含まれる負レンズの材料のアッベ数をν２ｎとする。第１レンズ群Ｌ１の最も物体側のレンズ面の曲率半径をＲ１ａ、第１レンズ群Ｌ１の最も像側のレンズ面の曲率半径をＲ１ｂとする。第２レンズ群Ｌ２に含まれる負レンズと正レンズとの光軸上の間隔をＬとする。このとき、次の諸条件のうち１以上を満足するのが良い。
【手続補正７】
【補正対象書類名】明細書
【補正対象項目名】００８０
【補正方法】変更
【補正の内容】
【００８０】
［数値実施例１］
単位 mm
面データ
面番号       r        d      nd         νd
1         20.650    0.80   1.95906    17.5           
2         17.488    3.50   1.55332    71.7           
3*      -359.338  (可変)                             
4*       -25.796    0.70   1.85135    40.1           
5*         5.023    2.50                             
6         10.101    1.20   1.95906    17.5           
7         20.039  (可変)                             
8*         7.048    1.20   1.58313    59.4           
9*       -41.006    0.92                             
10(絞り)    ∞       1.48                             
11         11.557    0.50   1.92286    18.9           
12          6.440    0.40                             
13         56.317    1.40   1.60311    60.6           
14        -10.373  (可変)                             
15        -34.865    0.50   1.48749    70.2           
16         17.990  (可変)                             
17         11.617    2.10   1.77250    49.6           
18        -64.509    0.60   1.95906    17.5           
19         81.531  (可変)                             
20          ∞       0.80   1.51633    64.1           
21          ∞       0.90                             
像面        ∞   
非球面データ
第3面
K =-5.25201e+003  A 4=-5.32692e-006  A 6= 1.38160e-007  A 8=-1.21432e-009  A10= 4.58382e-012  
第4面
K =-5.93737e+000  A 4=-1.05872e-004  A 6= 1.35712e-005  A 8=-4.27092e-007  A10= 5.42567e-009  
第5面
K =-7.84622e-001  A 4=-1.58812e-004  A 6= 3.33811e-005  A 8=-1.64768e-006  A10= 4.75099e-008  
第8面
K =-1.80199e+000  A 4= 1.63638e-004  A 6= 5.62224e-005  A 8=-1.34525e-006  A10=-4.81908e-007  
第9面
K =-1.84161e+002  A 4=-2.39636e-004  A 6= 7.88378e-005  A 8=-1.54282e-006  A10=-6.56528e-007  
各種データ
ズーム比      9.56 
広角     中間     望遠
焦点距離       5.13    17.23    49.00  
Fナンバー      3.36     4.65     6.08  
半画角（度）  37.53    12.89     4.43  
像高           3.33     3.88     3.88  
レンズ全長    42.39    49.91    64.07  
BF             7.19    10.54     5.09  
d 3            1.22    11.95    22.28  
d 7           14.18     3.23     0.74  
d14            1.00     2.55     3.31  
d16            1.00     3.84    14.85  
d19            5.77     9.11     3.66  
ズームレンズ群データ
群  始面    焦点距離  
1    1      39.82  
2    4      -7.43  
3    8      10.20  
4   15     -24.27  
5   17      18.79  
6   20       ∞   
【手続補正８】
【補正対象書類名】明細書
【補正対象項目名】００８１
【補正方法】変更
【補正の内容】
【００８１】
［数値実施例２］
単位 mm
面データ
面番号       r        d      nd         νd
1         19.196    0.80   1.95906    17.5           
2         16.670    3.80   1.49700    81.5           
3*      -153.334  (可変)                             
4*       -86.714    0.70   2.00000    35.0           
5*         5.055    2.50                             
6         10.374    1.20   1.95906    17.5           
7         24.936  (可変)                             
8*         6.760    1.30   1.58313    59.4           
9*       -28.022    0.92                             
10(絞り)    ∞       1.48                             
11         12.833    0.50   1.92286    18.9           
12          6.622    0.59                             
13        -15.354    1.30   1.60311    60.6           
14         -6.671  (可変)                             
15        -17.789    0.50   1.48749    70.2           
16         35.611  (可変)                             
17*        10.299    2.00   1.69680    55.5           
18       -343.760    0.60   1.95906    17.5           
19         43.475  (可変)                             
20          ∞       0.80   1.51633    64.1           
21          ∞       0.90                             
像面        ∞   
非球面データ
第3面
K =-7.31962e+002  A 4=-1.14926e-005  A 6= 2.33213e-007  A 8=-2.00137e-009  A10= 7.71487e-012  
第4面
K = 9.98388e+001  A 4=-2.44978e-005  A 6=-9.36072e-006  A 8= 4.56818e-007  A10=-5.66208e-009  
第5面
K =-7.29895e-001  A 4= 2.81012e-005  A 6=-1.52919e-005  A 8= 2.94629e-007  A10= 1.40575e-008  
第8面
K =-1.45251e+000  A 4= 1.10320e-003  A 6= 7.89281e-005  A 8= 4.45072e-006  A10= 1.51504e-006  
第9面
K = 1.54426e+001  A 4= 1.54338e-003  A 6= 1.03118e-004  A 8= 1.01919e-006  A10= 2.61339e-006  
第17面
K = 3.36016e-002  A 4=-2.80855e-005  A 6= 5.01565e-006  A 8=-2.92177e-007  A10= 5.91860e-009  
各種データ
ズーム比      9.55 
広角     中間     望遠
焦点距離       5.13    14.13    49.00  
Fナンバー      3.46     4.59     6.08  
半画角（度）  37.25    15.54     4.42  
像高           3.33     3.88     3.88  
レンズ全長    45.80    49.33    60.70  
BF             7.38     8.21     3.55  
d 3            0.98     9.40    21.09  
d 7           17.25     6.40     1.01  
d14            1.00     3.89     5.60  
d16            1.00     3.23    11.25  
d19            5.95     6.78     2.12  
ズームレンズ群データ
群  始面    焦点距離  
1    1      38.76  
2    4      -7.74  
3    8      10.75  
4   15     -24.26  
5   17      21.23  
6   20       ∞    
【手続補正９】
【補正対象書類名】明細書
【補正対象項目名】００８２
【補正方法】変更
【補正の内容】
【００８２】
［数値実施例３］
単位 mm
面データ
面番号       r        d      nd         νd
1         18.753    0.80   1.95906    17.5           
2         15.707    3.10   1.55332    71.7           
3*      -160.894  (可変)                             
4*       -64.140    0.70   2.00000    40.0           
5*         4.871    2.50                             
6          9.816    1.00   1.95906    17.5           
7         19.152  (可変)                             
8*         7.197    1.30   1.58313    59.4           
9*       -94.659    0.92                             
10(絞り)    ∞       1.48                             
11         12.242    0.50   1.92286    18.9           
12          7.287    0.45                             
13        198.604    1.40   1.60311    60.6           
14         -8.528  (可変)                             
15        295.690    0.50   1.77250    49.6           
16         17.091  (可変)                             
17         10.318    1.60   1.77250    49.6           
18         60.617    0.50   1.95906    17.5           
19         22.477  (可変)                             
20          ∞       0.80   1.51633    64.1           
21          ∞       0.90                             
像面        ∞   
非球面データ
第3面
K =-1.22802e+003  A 4=-2.19988e-005  A 6= 5.18159e-007  A 8=-6.21518e-009  A10= 3.31735e-011  
第4面
K =-6.06367e+001  A 4=-4.68198e-004  A 6= 1.30669e-005  A 8= 3.99678e-008  A10=-4.01391e-009  
第5面
K =-8.83708e-001  A 4=-2.73111e-004  A 6= 1.75621e-006  A 8= 6.74486e-007  A10= 1.04767e-008  
第8面
K =-2.30247e-001  A 4= 3.34672e-004  A 6= 4.87173e-005  A 8= 1.42402e-006  A10= 2.27189e-007  
第9面
K = 6.11738e+002  A 4= 1.04239e-003  A 6= 7.94055e-005  A 8=-1.80702e-006  A10= 5.97972e-007  
各種データ
ズーム比      9.55 
広角     中間     望遠
焦点距離       5.13    16.66    49.00  
Fナンバー      3.36     4.67     6.08  
半画角（度）  37.52    13.19     4.42  
像高           3.33     3.88     3.88  
レンズ全長    43.03    50.18    59.99  
BF             8.30     9.79     4.38  
d 3            1.02    10.33    18.67  
d 7           14.77     4.95     0.95  
d14            1.00     3.12     4.61  
d16            1.20     5.26    14.64  
d19            6.87     8.36     2.95  
ズームレンズ群データ
群  始面    焦点距離  
1    1      34.44  
2    4      -6.69  
3    8      10.02  
4   15     -23.50  
5   17      25.77  
6   20       ∞    
【手続補正１０】
【補正対象書類名】明細書
【補正対象項目名】００８３
【補正方法】変更
【補正の内容】
【００８３】
［数値実施例４］
単位 mm
面データ
面番号       r        d      nd         νd
1         21.306    0.80   2.10205    16.8           
2         18.439    3.10   1.55332    71.7           
3*      -238.729  (可変)                             
4*       -18.558    0.70   1.85135    40.1           
5*         5.112    2.50                             
6         11.913    1.00   2.10205    16.8           
7         25.397  (可変)                             
8*         6.722    1.20   1.58313    59.4           
9*       -41.301    0.92                             
10(絞り)    ∞       1.48                             
11         11.609    0.50   1.92286    18.9           
12          6.246    0.46                             
13         87.268    1.20   1.60311    60.6           
14         -9.505  (可変)                             
15        -44.923    0.50   1.88300    40.8           
16         41.160  (可変)                             
17*        11.788    1.90   1.55332    71.7           
18       -400.833  (可変)                             
19          ∞       0.80   1.51633    64.1           
20          ∞       0.90                             
像面        ∞   
非球面データ
第3面
K =-1.61561e+003  A 4=-7.25163e-006  A 6= 1.37358e-007  A 8=-1.19462e-009  A10= 5.11325e-012  
第4面
K =-1.56497e+001  A 4=-1.85047e-004  A 6= 1.26819e-005  A 8=-4.33901e-007  A10= 6.21283e-009  
第5面
K =-8.62527e-001  A 4=-9.93858e-005  A 6= 2.71283e-005  A 8=-1.68074e-006  A10= 4.40656e-008  
第8面
K =-1.29443e+000  A 4= 1.30136e-004  A 6= 2.48392e-005  A 8= 2.20976e-006  A10=-3.98877e-007  
第9面
K =-2.97320e+002  A 4=-2.77740e-004  A 6= 7.79317e-005  A 8=-3.65264e-006  A10=-9.96629e-008  
第17面
K =-3.43047e-001  A 4=-1.69549e-005  A 6= 3.54151e-006  A 8=-1.49724e-007  A10= 2.86780e-009  
各種データ
ズーム比      9.57 
広角     中間     望遠
焦点距離       5.12    17.75    49.00  
Fナンバー      3.33     4.69     6.08  
半画角（度）  37.81    12.34     4.45  
像高           3.33     3.88     3.88  
レンズ全長    41.80    48.51    62.10  
BF             8.00    11.40     5.69  
d 3            1.33    12.11    22.48  
d 7           14.21     3.07     0.45  
d14            1.00     4.15     6.03  
d16            1.00     1.52    11.19  
d18            6.57     9.97     4.27  
ズームレンズ群データ
群  始面    焦点距離  
1    1      40.45  
2    4      -7.12  
3    8      10.04  
4   15     -24.26  
5   17      20.73  
6   19       ∞    
【手続補正１１】
【補正対象書類名】明細書
【補正対象項目名】００８４
【補正方法】変更
【補正の内容】
【００８４】
［数値実施例５］
単位 mm
面データ
面番号       r        d      nd         νd
1         21.898    0.80   1.95906    17.5           
2         18.547    3.50   1.55332    71.7           
3*      -263.839  (可変)                             
4*       -23.566    0.70   1.85135    40.1           
5*         4.918    2.50                             
6         10.464    1.20   1.95906    17.5           
7         22.589  (可変)                             
8*         6.926    1.20   1.58313    59.4           
9*       -42.542    0.92                             
10(絞り)    ∞       1.48                             
11         10.653    0.50   1.92286    18.9           
12          6.149    0.54                             
13       2965.009    1.20   1.60311    60.6           
14         -9.215  (可変)                             
15        -65.344    0.50   1.88300    40.8           
16         30.514  (可変)                             
17*        11.250    1.90   1.55332    71.7           
18        458.109  (可変)                             
19          ∞       0.80   1.51633    64.1           
20          ∞       0.90                           
像面        ∞   
非球面データ
第3面
K =-2.31782e+003  A 4=-7.48176e-006  A 6= 1.43382e-007  A 8=-1.14768e-009  A10= 4.18830e-012  
第4面
K =-1.27771e+001  A 4=-1.38478e-004  A 6= 1.07097e-005  A 8=-3.77843e-007  A10= 5.62577e-009  
第5面
K =-8.23490e-001  A 4=-1.31358e-004  A 6= 2.49428e-005  A 8=-1.61602e-006  A10= 4.55722e-008  
第8面
K =-1.16477e+000  A 4= 8.23813e-005  A 6= 2.64768e-005  A 8= 8.50599e-007  A10=-1.76514e-007  
第9面
K =-2.58023e+002  A 4=-1.68966e-004  A 6= 6.95357e-005  A 8=-3.70661e-006  A10= 4.34102e-008  
第17面
K =-3.12321e-001  A 4= 1.21432e-005  A 6= 1.76279e-006  A 8=-1.06415e-007  A10= 2.83861e-009  
各種データ
ズーム比     11.56 
広角     中間     望遠
焦点距離       5.09    17.77    58.80  
Fナンバー      3.20     4.47     6.08  
半画角（度）  37.73    12.33     3.69  
像高           3.33     3.88     3.88  
レンズ全長    43.83    50.46    65.13  
BF             8.20    11.80     4.46  
d 3            1.27    12.62    24.23  
d 7           15.42     3.68     0.47  
d14            1.00     3.61     5.24  
d16            1.00     1.82    13.79  
d18            6.77    10.37     3.03